(57)【要約】【課題】ユーザーのコンテンツ視聴への影響を最小化しながら、コンテンツの情報をより効果的に利用できるようにする、ディスプレイ装置、遠隔制御装置及びその制御方法を提供する。【解決手段】このディスプレイ装置は、所定コンテンツの映像を処理する映像処理部と、処理された前記コンテンツの映像を表示するディスプレイ部と、ユーザーの命令の受信、及び前記コンテンツに関する情報の表示が可能な遠隔制御装置と通信する通信部と、前記ユーザーの命令に応じて前記コンテンツの映像が前記ディスプレイ部に表示されるようにし、前記コンテンツに対する前記ユーザーの利用履歴に関する情報を記憶し、前記ユーザーの利用履歴に基づいて前記コンテンツに関する情報が前記遠隔制御装置に表示されるように、記憶された前記利用履歴に関する情報を前記遠隔制御装置に伝送する制御部と、を備える。【選択図】図６
2014183593.tif 000002
【特許請求の範囲】
【請求項１】
所定コンテンツの映像を処理する映像処理部と、
処理された前記コンテンツの映像を表示するディスプレイ部と、
ユーザーの命令の受信、及び前記コンテンツに関する情報の表示が可能な遠隔制御装置と通信する通信部と、
前記ユーザーの命令に応じて前記コンテンツの映像が前記ディスプレイ部に表示されるようにし、前記コンテンツに対する前記ユーザーの利用履歴に関する情報を記憶し、前記ユーザーの利用履歴に基づいて前記コンテンツに関する情報が前記遠隔制御装置に表示されるように、記憶された前記利用履歴に関する情報を前記遠隔制御装置に伝送する制御部と、
を備えるディスプレイ装置。
【請求項２】
前記制御部は、前記ディスプレイ部に現在表示されている前記コンテンツに対応する前記ユーザーの利用履歴に関する情報を、前記通信部を介して前記遠隔制御装置に伝送する、請求項１に記載のディスプレイ装置。
【請求項３】
前記ユーザーの利用履歴に関する情報は、前記ディスプレイ部に現在表示されているコンテンツの少なくとも１つの関連コンテンツに関する情報を含む、請求項１に記載のディスプレイ装置。
【請求項４】
前記ユーザーの利用履歴に関する情報は、前記現在表示されているコンテンツ及び前記少なくとも１つの関連コンテンツに対する前記ユーザーの視聴性向に関する情報を含む、請求項３に記載のディスプレイ装置。
【請求項５】
前記コンテンツに関する情報は、前記現在表示されているコンテンツのＧＵＩ項目、及び前記少なくとも１つの関連コンテンツのＧＵＩ項目を含む、請求項３に記載のディスプレイ装置。
【請求項６】
前記制御部は、複数の前記関連コンテンツのＧＵＩ項目の中から前記ユーザーの命令に応じて選択されたいずれか１つの関連コンテンツの映像が前記ディスプレイ部に表示されるように制御する、請求項５に記載のディスプレイ装置。
【請求項７】
コンテンツに関する情報の表示が可能な遠隔制御装置からユーザーの命令を受信するステップと、
受信した前記ユーザーの命令に応じて前記コンテンツの映像を表示するステップと、
前記コンテンツに対する前記ユーザーの利用履歴に関する情報を記憶するステップと、
前記ユーザーの利用履歴に基づいて前記コンテンツに関する情報が前記遠隔制御装置に表示されるように、記憶された前記利用履歴に関する情報を前記遠隔制御装置に伝送するステップと、
を含むディスプレイ装置の制御方法。
【請求項８】
ディスプレイ装置を制御するための遠隔制御装置であって、
ユーザーの命令の受信が可能な命令受信部と、
情報の表示が可能なディスプレイ部と、
前記ディスプレイ装置と通信する通信部と、
前記ディスプレイ装置に所定コンテンツの映像が表示されるように前記ユーザーの命令を伝送し、前記コンテンツに対する前記ユーザーの利用履歴に関する情報を受信し、受信した前記ユーザーの利用履歴に関する情報に基づいて前記コンテンツに関する情報が前記ディスプレイ部に表示されるように制御する制御部と、
を備える遠隔制御装置。
【請求項９】
前記制御部は、前記ディスプレイ装置に現在表示されている前記コンテンツに対応する前記ユーザーの利用履歴に関する情報を前記通信部を介して前記ディスプレイ装置から受信するように制御する、請求項８に記載の遠隔制御装置。
【請求項１０】
前記ユーザーの利用履歴に関する情報は、前記ディスプレイ装置に現在表示されているコンテンツの少なくとも１つの関連コンテンツに関する情報を含む、請求項８に記載の遠隔制御装置。
【請求項１１】
前記ユーザーの利用履歴に関する情報は、前記現在表示されているコンテンツ及び前記少なくとも１つの関連コンテンツに対する前記ユーザーの視聴性向に関する情報を含む、請求項１０に記載の遠隔制御装置。
【請求項１２】
前記コンテンツに関する情報は、前記現在表示されているコンテンツのＧＵＩ項目、及び前記少なくとも１つの関連コンテンツのＧＵＩ項目を含み、
前記制御部は、前記ユーザーの視聴性向に基づき、前記現在表示されているコンテンツのＧＵＩ項目と前記少なくとも１つの関連コンテンツのＧＵＩ項目とを相互近接させて表示するように制御する、請求項１１に記載の遠隔制御装置。
【請求項１３】
前記制御部は、前記ユーザーの視聴性向に基づき、前記現在表示されているコンテンツと前記少なくとも１つの関連コンテンツとの関連度合を表す連結線を表示するように制御する、請求項１２に記載の遠隔制御装置。
【請求項１４】
前記制御部は、前記ユーザーの視聴性向に基づき、前記少なくとも１つの関連コンテンツのＧＵＩ項目を別々の大きさで表示するように制御する、請求項１２に記載の遠隔制御装置。
【請求項１５】
ディスプレイ装置を制御するための遠隔制御装置の制御方法であって、
ユーザーの命令を受信するステップと、
前記ディスプレイ装置に所定コンテンツの映像が表示されるように、受信した前記ユーザーの命令を前記ディスプレイ装置に伝送するステップと、
前記ディスプレイ装置から前記コンテンツに対する前記ユーザーの利用履歴に関する情報を受信するステップと、
受信した前記ユーザーの利用履歴に関する情報に基づいて前記コンテンツに関する情報を表示するステップと、
を含む遠隔制御装置の制御方法。
【発明の詳細な説明】
【技術分野】
【０００１】
本発明は、ディスプレイ装置、遠隔制御装置及びその制御方法に係り、遠隔制御装置により遠隔制御されるディスプレイ装置及びその制御方法に関する。
【背景技術】
【０００２】
ＴＶのようなディスプレイ装置は、例えば、ＴＶ信号のような放送信号を介して受信されるコンテンツを映像及び音声の形態でユーザーに提供する。ディスプレイ装置は、数多くのコンテンツの中からユーザーが所望のコンテンツを選択できるようにするべく、ユーザーにコンテンツの情報も併せて提供できる。
【０００３】
関連技術によるディスプレイ装置は、例えば、ＥＰＧのような形態でコンテンツの情報を提供し、ユーザーは、遠隔制御装置を用いた操作によりＥＰＧ上のコンテンツの情報を利用することができる。
【０００４】
しかしながら、ＥＰＧは画面を覆わざるを得ず、コンテンツを視聴するユーザーに不便を招く。しかも、遠隔制御装置を用いた操作は、主として、例えば上下左右の方向移動や項目選択などの単純な操作となっているため、ユーザーがコンテンツの情報を思うまま利用するには限界がある。一方、最近ではタッチ又はモーション入力を用いた遠隔制御装置も提案されているが、このような入力方法の拡張にもかかわらず、依然として、多様なコンテンツの情報をより効果的に利用するには限界がある。
【発明の概要】
【発明が解決しようとする課題】
【０００５】
したがって、本発明の目的は、ユーザーのコンテンツ視聴への影響を最小化しながら、コンテンツの情報をより効果的に利用可能にするディスプレイ装置、遠隔制御装置及びその制御方法を提供することにある。
【０００６】
また、本発明の目的は、ユーザーのコンテンツ利用性向に合わせることによって、ユーザーがより便利にコンテンツの情報を利用できるようにするディスプレイ装置、遠隔制御装置及びその制御方法を提供することにある。
【０００７】
また、本発明の目的は、ユーザーがより直観的にコンテンツの情報を利用できるようにするディスプレイ装置、遠隔制御装置及びその制御方法を提供することにある。
【課題を解決するための手段】
【０００８】
本発明の上記の目的は、所定コンテンツの映像を処理する映像処理部と、処理された前記コンテンツの映像を表示するディスプレイ部と、ユーザーの命令の受信、及び前記コンテンツに関する情報の表示が可能な遠隔制御装置と通信する通信部と、前記ユーザーの命令に応じて前記コンテンツの映像が前記ディスプレイ部に表示されるようにし、前記コンテンツに対する前記ユーザーの利用履歴に関する情報を記憶し、前記ユーザーの利用履歴に基づいて前記コンテンツに関する情報が前記遠隔制御装置に表示されるように、記憶された前記利用履歴に関する情報を前記遠隔制御装置に伝送する制御部と、を備えるディスプレイ装置によって達成できる。
【０００９】
前記制御部は、前記ディスプレイ部に現在表示されている前記コンテンツに対応する前記ユーザーの利用履歴に関する情報を前記通信部を介して前記遠隔制御装置に伝送することができる。
【００１０】
前記ユーザーの利用履歴に関する情報は、前記現在表示されているコンテンツの少なくとも１つの関連コンテンツに関する情報を含むことができる。
【００１１】
前記ユーザーの利用履歴に関する情報は、前記現在表示されているコンテンツ及び前記関連コンテンツのそれぞれに対する前記ユーザーの視聴性向に関する情報を含むことができる。
【００１２】
前記コンテンツに関する情報は、前記現在表示されているコンテンツのＧＵＩ項目、及び複数の前記関連コンテンツのそれぞれのＧＵＩ項目を含むことができる。
【００１３】
前記制御部は、複数の前記関連コンテンツのＧＵＩ項目の中から前記ユーザーの命令に応じて選択されたいずれか１つの関連コンテンツの映像が前記ディスプレイ部に表示されるように制御できる。
【００１４】
本発明の上記の目的は、コンテンツに関する情報の表示が可能な遠隔制御装置からユーザーの命令を受信するステップと、受信した前記ユーザーの命令に応じて前記コンテンツの映像を表示するステップと、前記コンテンツに対する前記ユーザーの利用履歴に関する情報を記憶するステップと、前記ユーザーの利用履歴に基づいて前記コンテンツに関する情報が前記遠隔制御装置に表示されるように、記憶された前記利用履歴に関する情報を前記遠隔制御装置に伝送するステップと、を含むディスプレイ装置の制御方法によっても達成できる。
【００１５】
上記伝送するステップは、前記現在表示されている前記コンテンツに対応する前記ユーザーの利用履歴に関する情報を前記遠隔制御装置に伝送するステップを含むことができる。
【００１６】
前記ユーザーの利用履歴に関する情報は、前記現在表示されているコンテンツの少なくとも１つの関連コンテンツに関する情報を含むことができる。
【００１７】
前記ユーザーの利用履歴に関する情報は、前記現在表示されているコンテンツ及び前記関連コンテンツのそれぞれに対する前記ユーザーの視聴性向に関する情報を含むことができる。
【００１８】
上記方法は、前記少なくとも１つの関連コンテンツのうち、前記遠隔制御装置を介して受信されるユーザーの命令に応じて選択された関連コンテンツの映像を表示するステップをさらに含むことができる。
【００１９】
本発明の上記の目的は、ディスプレイ装置を制御するための遠隔制御装置であって、ユーザーの命令の受信が可能な命令受信部と、情報の表示が可能なディスプレイ部と、前記ディスプレイ装置と通信する通信部と、前記ディスプレイ装置に所定コンテンツの映像が表示されるように前記ユーザーの命令を伝送し、前記コンテンツに対する前記ユーザーの利用履歴に関する情報を受信し、受信した前記ユーザーの利用履歴に関する情報に基づいて前記コンテンツに関する情報が前記ディスプレイ部に表示されるように制御する制御部と、を備える遠隔制御装置によっても達成できる。
【００２０】
前記制御部は、前記ディスプレイ装置に現在表示されている前記コンテンツに対応する前記ユーザーの利用履歴に関する情報を前記通信部を介して前記ディスプレイ装置から受信するように制御できる。
【００２１】
前記ユーザーの利用履歴に関する情報は、前記現在表示されているコンテンツの少なくとも１つの関連コンテンツに関する情報を含むことができる。
【００２２】
前記ユーザーの利用履歴に関する情報は、前記現在表示されているコンテンツ及び前記関連コンテンツのそれぞれに対する前記ユーザーの視聴性向に関する情報を含むことができる。
【００２３】
前記コンテンツに関する情報は、前記現在表示されているコンテンツのＧＵＩ項目、及び複数の前記関連コンテンツのそれぞれのＧＵＩ項目を含み、前記制御部は、前記ユーザーの視聴性向に基づき、前記現在表示されているコンテンツのＧＵＩ項目と前記複数の関連コンテンツのＧＵＩ項目とを相互近接させて表示するように制御できる。
【００２４】
前記制御部は、前記ユーザーの視聴性向に基づき、前記現在表示されているコンテンツと前記複数の関連コンテンツとの関連度合を表す連結線を表示するように制御できる。
【００２５】
前記制御部は、前記ユーザーの視聴性向に基づき、前記複数の関連コンテンツのそれぞれのＧＵＩ項目を別々の大きさで表示するように制御できる。
【００２６】
前記制御部は、前記複数の関連コンテンツからいずれか１つを選択した前記ユーザーの命令を前記ディスプレイ装置に伝送し、選択された前記関連コンテンツの映像が前記ディスプレイ装置に表示されるように制御できる。
【００２７】
本発明の上記の目的は、ディスプレイ装置を制御するための遠隔制御装置の制御方法であって、ユーザーの命令を受信するステップと、前記ディスプレイ装置に所定コンテンツの映像が表示されるように、受信した前記ユーザーの命令を前記ディスプレイ装置に伝送するステップと、前記ディスプレイ装置から前記コンテンツに対する前記ユーザーの利用履歴に関する情報を受信するステップと、受信した前記ユーザーの利用履歴に関する情報に基づいて前記コンテンツに関する情報を表示するステップと、を含む遠隔制御装置の制御方法によっても達成できる。
【００２８】
前記ユーザーの利用履歴に関する情報を受信するステップは、前記ディスプレイ装置に現在表示されている前記コンテンツに対応する前記ユーザーの利用履歴に関する情報を前記ディスプレイ装置から受信するステップを含むことができる。
【００２９】
前記ユーザーの利用履歴に関する情報は、前記現在表示されているコンテンツの少なくとも１つの関連コンテンツに関する情報を含むことができる。
【００３０】
前記ユーザーの利用履歴に関する情報は、前記現在表示されているコンテンツ及び前記関連コンテンツのそれぞれに対する前記ユーザーの視聴性向に関する情報を含むことができる。
【００３１】
前記コンテンツに関する情報は、前記現在表示されているコンテンツのＧＵＩ項目、及び複数の前記関連コンテンツのそれぞれのＧＵＩ項目を含み、前記表示するステップは、前記ユーザーの視聴性向に基づき、前記現在表示されているコンテンツのＧＵＩ項目と前記複数の関連コンテンツのＧＵＩ項目とを相互近接させて表示するステップを含むことができる。
【００３２】
前記表示するステップは、前記ユーザーの視聴性向に基づき、前記現在表示されているコンテンツと複数の前記関連コンテンツとの関連度合を表す連結線を表示するステップを含むことができる。
【００３３】
前記表示するステップは、前記ユーザーの視聴性向に基づき、前記複数の関連コンテンツのそれぞれのＧＵＩ項目を別々の大きさで表示するステップを含むことができる。
【００３４】
上記遠隔制御装置の制御方法は、前記ディスプレイ装置に映像が表示されるように前記複数の関連コンテンツからいずれか１つを選択した前記ユーザーの命令を前記ディスプレイ装置に伝送するステップをさらに含むことができる。
【発明の効果】
【００３５】
上述の通り、本発明は、ユーザーのコンテンツ視聴への影響を最小化しながら、ユーザーがコンテンツの情報をより効果的に利用できるようにする。
【００３６】
また、本発明は、ユーザーのコンテンツ利用性向に合わせることによって、ユーザーがより便利にコンテンツの情報を利用できるようにする。
【００３７】
また、本発明は、ユーザーがより直観的にコンテンツの情報を利用できるようにする。
【図面の簡単な説明】
【００３８】
【図１】本発明の一実施形態に係るディスプレイ装置及び遠隔制御装置を示すブロック図である。
【図２】本発明の一実施形態に係るディスプレイ装置の構成を示すブロック図である。
【図３】本発明の一実施形態に係るディスプレイ装置の動作を示すフローチャートである。
【図４】本発明の一実施形態に係る遠隔制御装置の構成を示すブロック図である。
【図５】本発明の一実施形態に係る遠隔制御装置の動作を示すフローチャートである。
【図６】本発明の一実施形態に係るディスプレイ装置及び遠隔制御装置のより具体的な動作を示す図である。
【図７】本発明の一実施形態に係る遠隔制御装置が表示するコンテンツの情報の一例を示す図である。
【図８】本発明の一実施形態に係る遠隔制御装置が表示する、ユーザーの利用履歴に基づくコンテンツの情報の一例を示す図である。
【発明を実施するための形態】
【００３９】
以下、本発明の一実施形態について詳しく説明する。図１は、本発明の一実施形態に係るディスプレイ装置及び遠隔制御装置を示すブロック図である。ディスプレイ装置１は、ＴＶであってよい。遠隔制御装置２は、ディスプレイ装置１を遠隔制御するための装置である。図１に示すように、ディスプレイ装置１と遠隔制御装置２とは互いに通信可能に接続される。ディスプレイ装置１と遠隔制御装置２との通信には、例えば、ブルートゥース（登録商標）、Ｗｉ−Ｆｉなどの近距離無線ネットワークを利用できる。すなわち、ディスプレイ装置１及び遠隔制御装置２は互いに隣接して設けられ、ユーザーは、実質的に同一の空間でディスプレイ装置１と、遠隔制御装置２との両方を利用できる。ディスプレイ装置１及び遠隔制御装置２は互いに分離された別個の装置であるが、本発明の一実施形態に係るディスプレイ装置は、遠隔制御装置２を含むこともできる。すなわち、ディスプレイ装置は、ディスプレイ装置の本体（図１のディスプレイ装置１に相当）と、遠隔制御装置２との両方を含む１つのシステムの形態で製品化されてもよい。
【００４０】
ディスプレイ装置１は、例えば、ＴＶ信号のような映像信号などを介して受信されるコンテンツを提供できる。ディスプレイ装置１が提供するコンテンツの種類に制限はなく、例えば、音楽、映画、写真、ゲーム、ＳＮＳ、ニュース、健康、学習などの様々なサービスに関するものが挙げられる。ユーザーは、遠隔制御装置２を用いてディスプレイ装置１に対してコンテンツの提供を要請し、コンテンツを提供するディスプレイ装置１を制御できる。例えば、ユーザーは、遠隔制御装置２を用いてチャネルを選択し、ディスプレイ装置１は、遠隔制御装置２を介して選択されたチャネルのコンテンツを表示できる。
【００４１】
遠隔制御装置２は、コンテンツに関する付加情報（以下、簡略に「コンテンツの情報」とも称する。）を提供する。例えば、遠隔制御装置２は、ディスプレイ装置１に現在表示されているコンテンツの情報を提供できる。遠隔制御装置２はコンテンツの情報を視覚的に表示できる。また、遠隔制御装置２は、ユーザーが所望のコンテンツの情報を容易に利用できるように、ユーザーの入力を受信するためのインターフェース、例えば、ＧＵＩを提供できる。遠隔制御装置２は、ユーザーがＧＵＩを介してコンテンツの情報を効果的に利用できるように、タッチ方式のインターフェースを提供できる。ユーザーは、遠隔制御装置２で提供されるＧＵＩを用いて、ディスプレイ装置１に表示されているコンテンツの情報を利用し、他のコンテンツの提供を要請できる。ディスプレイ装置１は、現在表示されているコンテンツの情報を遠隔制御装置２に提供でき、遠隔制御装置２を介して要請された他のコンテンツを提供できる。
【００４２】
このように、本実施形態に係るディスプレイ装置１及び遠隔制御装置２によれば、コンテンツを表示しているディスプレイ装置１ではなく遠隔制御装置２でコンテンツの情報を提供することによって、ユーザーのコンテンツの視聴を妨害せず、ユーザーの便宜性が向上する。
【００４３】
遠隔制御装置２は、コンテンツに対するユーザーの利用履歴に基づいてコンテンツの情報を提供する。コンテンツに対するユーザーの利用履歴は、例えば、ユーザーが当該コンテンツをいつ視聴したか、どれくらい長く視聴したか、どれくらいの頻度で視聴したかなど、当該コンテンツを利用する時に発生した客観的な事実、及び当該コンテンツに関するユーザーの好みや性向に該当する事項をいずれも含むことができる。ディスプレイ装置１は、ユーザーがあるコンテンツを利用する度に上記事項を確認し、当該コンテンツに対するユーザーの利用履歴として関連の情報を記憶しておく。ディスプレイ装置１は、ユーザーの利用履歴に関する情報を遠隔制御装置２に伝達でき、遠隔制御装置２は、伝達されたユーザーの利用履歴に関する情報に基づいてコンテンツの情報を提供する。
【００４４】
したがって、本実施形態に係るディスプレイ装置１及び遠隔制御装置２によれば、コンテンツに対するユーザーの利用履歴に基づいてコンテンツの情報が提供されるため、ユーザーは、所望の情報に関する事項を別に入力しなくとも、自動で自身の利用履歴に合うコンテンツの情報が利用でき、その結果、提供される情報の信頼性が高く、ユーザーの便宜性がより向上する。
【００４５】
図２は、本発明の一実施形態に係るディスプレイ装置１の構成を示すブロック図である。ディスプレイ装置１は、信号受信部１１、映像処理部１２、ディスプレイ部１３、記憶部１４、通信部１５、及び制御部１６を備えることができる。信号受信部１１は、映像信号を受信する。映像信号は、例えば、放送信号であってよい。放送信号は、地上波放送、ケーブル放送、衛星放送などの方式で放送されることがある。放送信号は複数のチャネルを有する。信号受信部１１は、複数のチャネルのうち、ユーザーにより選択されたいずれか１つのチャネルの放送信号を受信する。映像処理部１２は、信号受信部１１に受信される放送信号を、ディスプレイ部１３に映像表示可能に処理する。別の実施形態として、映像信号は、例えば、ＤＶＤプレーヤー、ＢＤプレーヤーなどの映像機器から受信されたり、ＰＣから受信されたり、インターネットのようなネットワークを介して受信されたり、ブルートゥース、Ｗｉ−Ｆｉのようなネットワークを介して受信されたり、ＵＳＢ記憶媒体のようなメモリーから受信されてもよい。
【００４６】
映像処理部１２は、受信される映像信号を処理し、ディスプレイ部１３に映像が表示されるようにする。映像処理部１２は、受信される映像信号に対して、例えば、モジュレーション、デモジュレーション、マルチプレクシング、デマルチプレクシング、アナログ−デジタル変換、デジタル−アナログ変換、デコーディング、エンコーディング、イメージエンハンスメント、スケーリングなどの映像処理を行うことができる。
【００４７】
ディスプレイ部１３は、映像処理部１２により処理される映像信号に基づいて映像を表示する。ディスプレイ部１３は、ＬＣＤ、ＰＤＰ、ＯＬＥＤなどの種々の方式で映像を表示できる。
【００４８】
記憶部１４は、フラッシュメモリー、ハードディスクなどの不揮発性のメモリーであり、コンテンツに関するユーザーの履歴情報を記憶する。
【００４９】
通信部１５は、遠隔制御装置２と通信を行う。通信部１５と遠隔制御装置２との間の通信方式に制限はなく、例えば、ブルートゥース、Ｗｉ−Ｆｉなどのような近距離無線通信方式が利用されてよい。
【００５０】
制御部１６は、ディスプレイ装置１全般を制御する。制御部１６は、制御プログラムと、制御プログラムを格納するフラッシュメモリーなどの不揮発性のメモリーと、制御プログラムの少なくとも一部をローディングするＲＡＭのような揮発性のメモリーと、ローディングされた制御プログラムを実行するマイクロプロセッサと、を備えることができる。
【００５１】
図３は、制御部１６の制御によるディスプレイ装置１の動作を示すフローチャートである。まず、動作Ｓ３１において、ディスプレイ装置１は、遠隔制御装置２からユーザーの命令を受信する。次に、動作Ｓ３２において、ディスプレイ装置１は、遠隔制御装置２から受信されたユーザーの命令に応じてコンテンツの映像を表示する。一方、動作Ｓ３３において、ディスプレイ装置１は、コンテンツに対するユーザーの利用履歴に関する情報を記憶する。動作Ｓ３４において、ディスプレイ装置１は、記憶されたユーザーの利用履歴に関する情報を遠隔制御装置２に伝送する。
【００５２】
図２を再び参照すると、ディスプレイ装置１は、ユーザーの命令を受信する命令受信部１７をさらに備えることができる。命令受信部１７は、例えば、ユーザーの命令を入力するための複数のボタンを有する操作パネル部を備えることができる。或いは、命令受信部１７は、ユーザーのモーションをユーザーの命令として感知するモーション感知部をさらに備えてもよい。図示してはいないが、ディスプレイ装置１は、ディスプレイ装置１の動作電力を供給するための電源部をさらに備えることができる。
【００５３】
図４は、本発明の一実施形態に係る遠隔制御装置２の構成を示すブロック図である。遠隔制御装置２は、命令受信部２１と、ディスプレイ部２２と、通信部２３と、制御部２４と、を備えることができる。命令受信部２１は、ディスプレイ装置１の制御のためのユーザーの命令を受信する。命令受信部２１は、様々な形態のものであってよく、例えば、文字の入力のための複数のボタンを有するものにしたり、タッチ入力のためのタッチパッド又はタッチスクリーンにしたり、モーション感知のためのモーションセンサーを有するものにしてよい。命令受信部２１をタッチスクリーンにする場合、タッチ入力のための構成は、ディスプレイ部２２内に設けられたり、ディスプレイ部２２と重なるようにしたりすればよい。
【００５４】
ディスプレイ部２２は、コンテンツの情報を表示する。ディスプレイ部２２は、遠隔制御装置２の一領域に設けられる、例えば、ＬＣＤ又はＯＬＥＤであってよい。通信部２３は、ディスプレイ装置１の通信部１５と通信を行う。通信部２３は、ディスプレイ装置１の通信部１５と同一の方式で通信を行うための通信インターフェースを備える。
【００５５】
制御部２４は、遠隔制御装置２全般を制御する。制御部２４は、制御プログラムと、制御プログラムを格納するフラッシュメモリーなどの不揮発性のメモリーと、制御プログラムの少なくとも一部をローディングするＲＡＭのような揮発性のメモリーと、ローディングされた制御プログラムを実行するマイクロプロセッサと、を備えることができる。
【００５６】
図５は、制御部２４の制御による遠隔制御装置２の動作を示すフローチャートである。まず、動作Ｓ５１において、遠隔制御装置２は、ディスプレイ装置１の制御のためのユーザーの命令を受信する。動作Ｓ５２において、遠隔制御装置２は、受信したユーザーの命令をディスプレイ装置１に伝送する。動作Ｓ５３において、遠隔制御装置２は、ディスプレイ装置１からコンテンツに対するユーザーの利用履歴に関する情報を受信する。動作Ｓ５４において、遠隔制御装置２は、ディスプレイ装置１から受信したコンテンツに対するユーザーの利用履歴に関する情報に基づいてコンテンツに関する情報を表示する。
【００５７】
図６に、ディスプレイ装置１及び遠隔制御装置２のより具体的な動作を示す。まず、動作Ｓ６１において、遠隔制御装置２は、ユーザーの命令に応じてコンテンツを選択する。遠隔制御装置２は、ユーザーが所望のコンテンツを容易に選択できるようにコンテンツの情報を提供することができる。図７は、本発明の一実施形態に係る遠隔制御装置２が表示するコンテンツの情報の一例を示す図である。図７に示すように、遠隔制御装置２は、ディスプレイ部２２にコンテンツの情報７１を表示できる。コンテンツの情報７１は、ディスプレイ装置１が提供可能な１つ以上のコンテンツに関する情報を含む。遠隔制御装置２は、コンテンツの情報７１をディスプレイ装置１から受信できる。遠隔制御装置２は、ディスプレイ装置１にコンテンツの情報７１の伝送を要請できる。遠隔制御装置２は、ユーザーの命令があると、ディスプレイ装置１にコンテンツの情報７１の伝送を要請できる。遠隔制御装置２は、ユーザーの命令に応じて特定のコンテンツの情報７１の伝送をディスプレイ装置１に要請することもできる。ディスプレイ装置１は、遠隔制御装置２からコンテンツの情報７１の伝送要請を受信すると、要請されたコンテンツの情報７１を遠隔制御装置２に伝送できる。別の実施形態として、ディスプレイ装置１は周期的にコンテンツの情報７１を遠隔制御装置２に伝送してもよい。
【００５８】
遠隔制御装置２に表示されるコンテンツの情報７１は、コンテンツの内容を表すイメージ、テキストなどを含むことができる。コンテンツの情報７１は、複数のコンテンツに関する情報を含み、遠隔制御装置２は、表示するコンテンツの個数が多い場合は、それらを分けて一部ずつ表示されるようにしてもよい。遠隔制御装置２は、ユーザーが操作を介して複数のコンテンツの情報７１をナビゲーションできるように表示することができる。或いは、遠隔制御装置２は、ユーザーがあるコンテンツの情報７１を検索できるようにすることもできる。遠隔制御装置２は、複数のコンテンツの情報７１のナビゲーション又は検索のためにナビゲーション／検索ボタン７２を提供できる。例えば、ナビゲーション／検索ボタン７２は、遠隔制御装置２のディスプレイ部２２に表示されるＧＵＩとすることができる。ユーザーは、ナビゲーション／検索ボタン７２を用いて複数のコンテンツの情報７１をナビゲーション又は検索しながら所望の情報を見ることができる。別の実施形態として、遠隔制御装置２は、タッチスクリーンタイプの命令受信部２１を用いて、ディスプレイ部２２上へのユーザーのタッチ入力によって複数のコンテンツの情報７１のナビゲーション又は検索が可能となるようにしてもよい。
【００５９】
遠隔制御装置２は、ユーザーが複数のコンテンツの情報７１からいずれか１つを選択するようにしてもよい。例えば、遠隔制御装置２は、選択ボタン７３をさらに備え、選択ボタン７３を介してユーザーが複数のコンテンツの情報７１からいずれか１つを選択したと判断できる。別の実施形態として、遠隔制御装置２は、タッチスクリーンタイプの命令受信部２１を用いて、ディスプレイ部２２上へのユーザーのタッチ入力によって複数のコンテンツの情報７１からいずれか１つが選択されたと判断してもよい。
【００６０】
再び図６を参照すると、動作Ｓ６２において、遠隔制御装置２は、ユーザーの命令に応じて選択されたコンテンツの情報をディスプレイ装置１に伝送する。動作Ｓ６３において、ディスプレイ装置１は、遠隔制御装置２から受信した選択されたコンテンツの情報に基づいて当該コンテンツの映像を表示する。動作Ｓ６４において、ディスプレイ装置１は、当該コンテンツに対するユーザーの利用履歴に関する情報を記憶する。ディスプレイ装置１は、ユーザーがどのようなコンテンツをどのように利用するかを継続してモニタリングする。例えば、動作Ｓ６２及びＳ６３のように、ユーザーが遠隔制御装置２を介してあるコンテンツの提供又は検索結果を要請した場合に、当該コンテンツの関連情報をユーザーの履歴情報として記憶する。具体的には、ディスプレイ装置１は、当該コンテンツの題目、要請日時、利用時間（視聴時間など）などの情報をユーザーの履歴情報として記憶する。
【００６１】
ディスプレイ装置１は、複数のユーザーの履歴情報を各ユーザー別に管理することもできる。動作Ｓ６１乃至Ｓ６４は反復可能である。ディスプレイ装置１は、動作Ｓ６１乃至Ｓ６４が反復される過程により、ユーザーが様々なコンテンツを利用する間のユーザーの履歴情報を記憶することができる。
【００６２】
一方、動作Ｓ６５において、ディスプレイ装置１は、記憶されたユーザーの利用履歴に関する情報を遠隔制御装置２に伝送できる。ディスプレイ装置１は、現在表示されているコンテンツに対するユーザーの利用履歴に関する情報を遠隔制御装置２に伝送することができる。或いは、ディスプレイ装置１は、特定イベントが発生すると、任意のコンテンツ又は該当イベントに関連したコンテンツに対するユーザーの利用履歴に関する情報を遠隔制御装置２に伝送することもできる。或いは、ディスプレイ装置１は、周期的に、任意のコンテンツ又はユーザーが指定したコンテンツに対するユーザーの利用履歴に関する情報を遠隔制御装置２に伝送することもできる。ディスプレイ装置１は、当該コンテンツに対するユーザーの視聴性向に関する情報が含まれるように、記憶されたユーザーの利用履歴に関する情報を処理し、処理されたユーザーの利用履歴に関する情報を遠隔制御装置２に伝送することができる。別の実施形態として、ユーザーの利用履歴に関する情報の処理は遠隔制御装置２でなされてもよい。さらに別の実施形態として、ユーザーの利用履歴に関する情報の処理は別の装置でなされてもよい。例えば、ディスプレイ装置１及び遠隔制御装置２の少なくとも一方は、ネットワークを介して接続可能なサーバー（図示せず）と通信し、サーバーからユーザーの利用履歴に関する情報を得たり、サーバーを用いてユーザーの利用履歴に関する情報をアップデートしたりすることもできる。この場合、ディスプレイ装置１がサーバーからユーザーの利用履歴に関する情報を受信して遠隔制御装置２に伝達したり、或いは遠隔制御装置２が直接サーバーからユーザーの利用履歴に関する情報を受信したりすればよい。
【００６３】
動作Ｓ６６において、遠隔制御装置２は、ディスプレイ装置１から伝送されたユーザーの利用履歴に関する情報に基づいてコンテンツの情報を表示する。図８に、本発明の一実施形態に係る遠隔制御装置２が表示する、ユーザーの利用履歴に基づくコンテンツの情報の一例を示す。図８に示すように、遠隔制御装置２は、ディスプレイ部２２上に、ユーザーの利用履歴に基づくコンテンツの情報８１乃至８６を表示することができる。例えば、ユーザーの利用履歴に基づくコンテンツの情報８１乃至８６は、ディスプレイ装置１に現在表示されているコンテンツの関連コンテンツに関する情報を含むことができる。具体的には、図８に示すように、遠隔制御装置２は、ディスプレイ装置１に現在表示されているコンテンツの項目８１、及び現在表示されているコンテンツの関連コンテンツに関する項目８２乃至８４をＧＵＩの形態で表示することができる。現在表示されているコンテンツの項目８１、及び関連コンテンツに関する項目８２乃至８４のそれぞれは、ユーザーの視聴性向を表すことができる。例えば、遠隔制御装置２は、ユーザーの視聴性向に基づき、現在表示されているコンテンツの項目８１と、関連コンテンツに関する項目８２乃至８４とを近接させて表示することができる。すなわち、遠隔制御装置２は、ユーザーの視聴性向に基づき、ユーザーが現在表示されているコンテンツ８１を視聴している途中でコンテンツの変更に対応して最も頻繁に選択したコンテンツの項目８２を、他のコンテンツの項目８３及び８４に比べて、現在表示されているコンテンツの項目８１へより近づかせて表示することができる。
【００６４】
また、遠隔制御装置２は、現在表示されているコンテンツ８１と複数の関連コンテンツ８２乃至８４との関連度合を表す連結線８５及び８６を、各項目８１乃至８４間にさらに表示してもよい。例えば、連結線８５及び８６は、各項目８１乃至８４間を結ぶ直線で表示されるとよい。連結線８５及び８６のそれぞれは、現在表示されているコンテンツ８１と複数の関連コンテンツ８２乃至８４との関連度合に基づいて様々な形態で表示されてもよい。例えば、現在表示されているコンテンツ８１と第１関連コンテンツ８２及び第２関連コンテンツ８３との関連度合が相対的に高いと、連結線８５は実線で表示され、現在表示されているコンテンツ８１と第３関連コンテンツ８４との関連度合が相対的に低いと、連結線８５は点線で表示されるとよい。別の実施形態として、連結線８５及び８６は、コンテンツ８１と複数の関連コンテンツ８２乃至８４との関連度合に基づき、互いに異なった太さで表示されてもよい。
【００６５】
また、遠隔制御装置２は、ユーザーの視聴性向に基づき、複数の関連コンテンツの各項目８２乃至８４を別々の大きさで表示してもよい。例えば、複数の関連コンテンツのうち、相対的にユーザーがよく視聴した関連コンテンツの項目８３は大きく表示し、相対的にユーザーがよく視聴していない関連コンテンツの項目８２は小さく表示できる。
【００６６】
別の実施形態として、遠隔制御装置２は、ユーザーが、現在表示されているコンテンツの項目８１の周縁を第１方向（例えば、時計回り方向）にドラッグすることに対応して、当該コンテンツ８１と同じカテゴリー（例えば、ニュース）などに該当する特定の関連コンテンツ８２乃至８４を表示し、ユーザーが第２方向（例えば、反時計回り方向)にドラッグすることに対応して、全てのカテゴリーなどを含む一般の関連コンテンツ８２乃至８４を表示してもよい。ただし、このような実施形態は単なる例示に過ぎず、本発明の別の実施形態によれば、ユーザーの第１方向、第２方向などの入力に対応して、様々な形態の関連性を持つコンテンツの情報を表示することもできることは明らかである。
【００６７】
再び図６を参照すると、動作Ｓ６７において、遠隔制御装置２は、ユーザーの命令に応じて複数の関連コンテンツ８２乃至８４からいずれか１つを選択する。すなわち、ユーザーは、複数の関連コンテンツ８２乃至８４の中から、自身が利用しようとするいずれか１つを選択できる。遠隔制御装置２は、複数の関連コンテンツの各項目８２乃至８４をユーザーが選択できるように提供する。例えば、遠隔制御装置２は、ディスプレイ部２２上へのユーザーのタッチ入力によって複数の関連コンテンツ８２乃至８４のいずれか１つが選択されたと判断できる。
【００６８】
例えば、現在表示されているコンテンツ８１及び複数の関連コンテンツ８２乃至８４は、当該コンテンツを提供する放送信号のチャネルであってよい。一実施形態として、図８を再び参照すると、ユーザーが、現在表示されているコンテンツ８１又は複数の関連コンテンツ８２乃至８４のいずれか一項目をタッチした状態で所定方向（例えば、上下方向）にドラッグすることに対応して、遠隔制御装置２は、当該項目８１乃至８４の周縁に、関連コンテンツに関する追加メニュー（図示せず）を表示できる。追加メニューは、例えば、タッチされたコンテンツ８１乃至８４のチャネルの以前又は次のチャネルのリストを選択可能に表示できる。ユーザーは、追加メニューを用いて、タッチされたコンテンツ８１乃至８４の周辺チャネルをより容易に検索し、所望のいずれか１つのチャネルを選択することができる。
【００６９】
再び図６を参照すると、動作Ｓ６８において、遠隔制御装置２は、複数の関連コンテンツ８２乃至８４のうち、ユーザーにより選択されたいずれか１つの情報をディスプレイ装置１に伝送する。次に、動作Ｓ６９において、ディスプレイ装置１は、遠隔制御装置２から伝送された情報に基づき、ユーザーにより選択された関連コンテンツ８２、８３又は８４の映像を表示する。ユーザーは、遠隔制御装置２に表示される複数の関連コンテンツの項目８２乃至８４を用いて、自身が視聴しようとするチャネルに便利に切り換えることができる。
【００７０】
このように、本発明の一実施形態に係るディスプレイ装置１及び遠隔制御装置２によれば、ユーザーは、自身の視聴性向をより容易に確認し、それに基づいてより便利にコンテンツを検索して利用することが可能になる。また、ユーザーは、自身が利用したコンテンツのうち、自身の視聴性向に基づく関連コンテンツが推奨されるため、コンテンツの利用に、より面白さを感じることができる。
【００７１】
以上、好適な実施形態を挙げて本発明について詳しく説明したが、本発明は、それらに限定されず、特許請求の範囲内で様々な実施が可能である。
【符号の説明】
【００７２】
１    ディスプレイ装置
１１  信号受信部
１２  映像処理部
１３  ディスプレイ部
１４  記憶部
１５  通信部
１６  制御部
１７  命令受信部
２    遠隔制御装置
２１  命令受信部
２２  ディスプレイ部
２３  通信部
２４  制御部
【図１】
2014183593.tif 000003
【図２】
2014183593.tif 000004
【図３】
2014183593.tif 000005
【図４】
2014183593.tif 000006
【図５】
2014183593.tif 000007
【図６】
2014183593.tif 000008
【図７】
2014183593.tif 000009
【図８】
2014183593.tif 000010